(57)【要約】      （修正有）【課題】第一及び第二金具の上下方向のずれをなくして、作業性に優れた取付金具を提供する。【解決手段】第一及び第二金具１，２１、締結ボルト３６及び締結ナット３７で取付金具を構成する。第一金具１は、第一挟持部２と、上下方向Ｃに山部及び谷部の連続する第一波形面４Ａを有する第一波形部４等を備える。第二金具２１は、第二挟持部２２と、上下方向Ｃに山部及び谷部の連続する第二波形面２４Ａを有する第二波形部２４を備える。第一及び第二金具１，２１は、各波形面４Ａ，２４Ａの山部を谷部に嵌込む。締結ボルト３６及び締結ナット３７は、挟方向Ａから第一及び第二金具１，２１を締結して、第一及び第二挟持部２，２２をハゼ部に圧接して、第一及び第二挟持部２，２２でハゼ部を挟持する。【選択図】図１３
0003189157.tif 000002
【実用新案登録請求の範囲】
【請求項１】
設置対象体と屋根等の設置側体の間に配置され、前記設置対象体を前記設置側体に取付け固定する取付金具であって、
前記設置側体のハゼ部の両側に配置され、前記ハゼ部を挟持する挟方向から前記ハゼ部を挟持する第一及び第二金具と、
前記挟方向から前記第一及び第二金具を締結する締結ボルト及び締結ナットと、を備え、
前記第一金具は、
前記挟方向から前記ハゼ部の一方側に配置される第一挟持部と、
前記挟方向に貫通する第一締結穴を有し、前記第一挟持部上端から上方に延出する第一締結部と、
前記挟方向と直交する上下方向に山部及び谷部の連続する第一波形面を有し、前記第一締結部上端から前記上方に延出する第一波形部と、を備え、
前記第二金具は、
前記挟方向から前記ハゼ部の他方側に配置される第二挟持部と、
前記挟方向に貫通する第二締結穴を有し、前記第二挟持部上端から前記上方に延出する第二締結部と、
前記上下方向に山部及び谷部の連続する第二波形面を有し、前記第二締結部上端から前記上方に延出する第二波形部と、を備え、
前記第一及び第二金具は、
前記ハゼ部を間に配置して、前記第一及び第二挟持部を対峙し、
前記第一及び第二波形面の前記山部を前記谷部内に嵌込んで、前記第一及び第二波形部を連接し、
前記挟方向の前記各締結部間に締結隙間を空けて、前記第一及び第二締結部を対峙して、前記挟方向の前記ハゼ部の両側に配置され、
前記締結ボルトは、
前記挟方向から前記第一及び第二締結部の前記各締結穴、及び前記締結隙間に挿通され、
前記締結ナットは、
前記締結ボルトとの間に前記各締結部及び前記締結隙間を配置して、前記締結ボルトに螺着され、
前記締結ボルト又は前記締結ナットを回動して、前記第一及び第二挟持部を前記ハゼ部に圧接する
ことを特徴とする取付金具。
【請求項２】
前記第一金具は、
前記第一波形部上端側に連続され、前記挟方向に延出する第一フランジ部を備え、
前記第二金具は、
前記第二波形部上端側に連続され、前記挟方向に延出する第二フランジ部を備え、
前記第一フランジ部又は／及び第二フランジ部に、前記設置対象物を取付ける
ことを特徴とする請求項１に記載の取付金具。
【請求項３】
前記第一及び第二波形部は、
前記上下方向の上端及び下端間に前記第一及び第二波形面を形成し、
前記第一及び第二波形面は、
前記山部及び前記谷部を同一形状、及び前記山部間の波形ピッチを同一にし、
前記各波形ピッチ相互を前記上下方向に１／２ピッチずらして形成され、
前記第一フランジ部は、
前記第一波形面と直交する第一取付表平面を有し、
前記第二フランジ部は、
前記第二波形面と直交する第二取付表平面を有する
ことを特徴とする請求項２に記載の取付金具。
【請求項４】
前記第一挟持部は、
前記挟方向から前記ハゼ部の一方側に配置され、前記上下方向に押え山部及び押え谷部の連続する第一押え波形面を有し、
前記第二挟持部は、
前記挟方向から前記ハゼ部の他方側に配置され、前記上下方向に押え山部及び押え谷部の連続する第二押え波形面を有し、
前記第一及び第二押え波形面は、
前記押え山部及び前記押え谷部を同一形状、及び前記押え山部間の波形ピッチを同一にし、
前記第一及び第二挟持部は、
前記ハゼ部を間に配置して、前記各押え波形面の前記押え山部を対峙し、
前記締結ボルト又は前記締結ナットの回動に伴って、前記各押え山部を前記ハゼ部に圧接されて、前記対峙した各押え山部で前記ハゼ部を挟持する
ことを特徴とする請求項１乃至３の何れかに記載の取付金具。
【請求項５】
前記第一及び第二金具は、
アルミニウム合金で製作される
ことを特徴とする請求項１乃至４の何れかに記載の取付金具。
【考案の詳細な説明】
【技術分野】
【０００１】
本考案は、太陽電池パネル等（設置対象体）を折板屋根等（設置側体）に取付け固定する取付金具に関する。
【背景技術】
【０００２】
取付金具として、特許文献１は、両脚片、両内向鍔片及びボルト/ナットを備える折板屋根材用取付具を開示する。折板屋根材用取付具は、両脚片及び両内向鍔片を一体形成し、両内向鍔片を両脚片から内向に突出する。この折板屋根材用取付具は、両内向鍔片間の隙間を通して折板屋根材のハゼ部を嵌挿し、更に両内向鍔片を折板屋根重合基部に対峙させる。続いて、折板屋根材用取付具は、ボルト/ナットを緊締することで、両内向鍔片で折板屋根重合基部を挟持する。
【先行技術文献】
【特許文献】
【０００３】
【特許文献１】特開２０１０−１９６４２２号公報
【考案の概要】
【考案が解決しようとする課題】
【０００４】
しかし、特許文献１では、両脚片及び両内向鍔片を一体形成し、両内向鍔片間の隙間を通してハゼ部を嵌挿しているので、折板屋根材のハゼ部が両内向鍔片間の隙間より大きくなると、隙間にバゼ部を嵌挿できず、両内向鍔片間の隙間の異なる折板屋根材用取付具を用意する必要がある。
【０００５】
本考案は、屋根等の設置側体のハゼ部のサイズ（大きさ）に応じて、第一及び第二金具間の間隔を調整できる取付金具を提供することにある。
【０００６】
また、本考案は、第一及び第二金具の上下方向のずれをなくして、作業性に優れた取付金具を提供することにある。
【課題を解決するための手段】
【０００７】
本考案に係る請求項１は、設置対象体と設置側体の間に配置され、前記設置対象体を前記設置側体に取付け固定する取付金具であって、前記設置側体のハゼ部の両側に配置され、前記ハゼ部を挟持する挟方向から前記ハゼ部を挟持する第一及び第二金具と、前記挟方向から前記第一及び第二金具を締結する締結ボルト及び締結ナットと、を備え、前記第一金具は、前記挟方向から前記ハゼ部の一方側に配置される第一挟持部と、前記挟方向に貫通する第一締結穴を有し、前記第一挟持部上端から上方に延出する第一締結部と、前記挟方向と直交する上下方向に山部及び谷部の連続する第一波形面を有し、前記第一締結部上端から上方に延出する第一波形部と、を備え、前記第二金具は、前記挟方向から前記ハゼ部の他方側に配置される第二挟持部と、前記挟方向に貫通する第二締結穴を有し、前記第二挟持部上端から上方に延出する第二締結部と、前記上下方向に山部及び谷部の連続する第二波形面を有し、前記第二締結部上端から上方に延出する第二波形部と、を備え、前記第一及び第二金具は、前記ハゼ部を間に配置して、前記第一及び第二挟持部を対峙し、前記第一及び第二波形面の前記山部を前記谷部に嵌込んで、前記第一及び第二波形部を連接し、前記挟方向の前記各締結部間に締結隙間を空けて、前記第一及び第二締結部を対峙して、前記ハゼ部の両側に配置され、前記締結ボルトは、前記挟方向から前記第一及び第二締結部の前記各締結穴、及び前記締結隙間に挿通され、前記締結ナットは、前記締結ボルトとの間に前記各締結部及び前記締結隙間を配置して、前記締結ボルトに螺着され、前記締結ボルト又は前記締結ナットを回動して、前記第一及び第二挟持部を前記ハゼ部に圧接することを特徴とする取付金具である。
【０００８】
本考案に係る請求項２は、前記第一金具は、前記第一波形部上端側に連続され、前記挟方向に延出する第一フランジ部を有し、前記第二金具は、前記第二挟持部上端側に連続され、前記挟方向の延出する第二フランジ部を有し、前記第一フランジ部又は/及び第二フランジ部に、前記設置対象体を取付けることを特徴とする請求項１に記載の取付金具である。
【０００９】
本考案に係る請求項３は、前記第一及び第二波形部は、前記上下方向の上端及び下端間に前記第一及び第二波形面を形成し、前記第一及び第二波形面は、前記山部及び前記谷部を同一形状、及び前記山部間の波形ピッチを同一にし、前記各波形ピッチ相互を前記上下方向に１/２ピッチすらして形成され、前記第一フランジ部は、前記第一波形面と直交する第一取付表平面を有し、前記第二フランジ部は、前記第二波形面と直交する第二取付表平面を有することを特徴とする請求項１又は２に記載の取付金具である。
【００１０】
本考案に係る請求項４は、前記第一挟持部は、前記挟方向から前記ハゼ部の一方側に配置され、前記上下方向に押え山部及び押え谷部の連続する第一押え波形面を有し、前記第二挟持部は、前記挟方向から前記ハゼ部の他方側に配置され、前記上下方向に押え山部及び押え谷部の連続する第二押え波形面を有し、前記第一及び第二押え波形面は、前記押え山部及び前記押え谷部を同一形状、及び前記押え山部間の波形ピッチを同一にし、前記第一及び第二挟持部は、前記ハゼ部を間に配置して、前記各押え波形面の前記押え山部を対峙し、前記締結ボルト又は前記締結ナットの回動に伴って、前記各押え山部を前記ハゼ部に圧接されて、前記対峙した各押え山部で前記ハゼ部を挟持することを特徴とする請求項１乃至３の何れかに記載の取付金具である。
【００１１】
本考案に係る請求項５は、前記第一及び第二金具は、アルミニウム合金で製作されることを特徴とする請求項１乃至４の何れかに記載の取付金具である。
【考案の効果】
【００１２】
本考案に係る請求項１では、取付金具を第一及び第二金具で構成するので、第一及び第二金具を挟方向に離間/接近できる。
これにより、設置側体（屋根等）のハゼ部のサイズ（大きさ）に対応して、第一及び第二挟持部間の間隔を調整できる。第一及び第二金具において、第一及び第二挟持部は、ハゼ部を間に配置して、挟方向からハゼ部を挟持できる。
請求項１は、第一及び第二波形面の山部を谷部に嵌込むことで、第一及び第二金具は上下方向にずれない。
これにより、締結ボルト又は締結ナットを回動して、挟方向から第一及び第二金具を締結（締付け）しても、上下方向にずれることなく、第一及び第二挟持部でハゼ部を圧接しつつ挟持でき、作業性に優れた取付金具である。
【００１３】
本考案に係る請求項２では、設置対象体を第一フランジ部又は/及び第二フランジ部に取付けて、取付金具を通して屋根等の設置側体に取付け固定できる。
【００１４】
本考案に係る請求項３では、第一及び第二波形面において、一方側の最上端の山部を他方側の最上端の谷部内に嵌込み、更に、順次、各波形面の山部を谷部内に嵌込んで、第一及び第二波形部を連接する。
これにより、第一及び第二フランジ部において、第一及び第二取付表平面は、第一及び第二波形面と直交する同一平面に配置できる。
【００１５】
本考案に係る請求項４では、第一及び第二挟持部全体をハゼ部に圧接するのではなく、各押え波形面の押え山部をハゼ部に圧接する。これにより、締結ボルト及び締結ナットの回動（締付け）による圧接力を第一及び第二挟持部全体に分散することなく、各押え山部に集中でき、ハゼ部を間に配置して対峙する各押え山部でハゼ部を確実に挟持でき、取付金具はハゼ部から下方向に抜出ない。
【００１６】
本考案に係る請求項５では、第一及び第二金具をアルミニウム合金で製作すると、耐食性、耐電蝕に優れた取付金具となり、耐久年数を向上できる。
【図面の簡単な説明】
【００１７】
【図１】取付金具の正面図である。
【図２】図１のＡ−Ａ矢視図である。
【図３】図１のＢ−Ｂ矢視図である。
【図４】第一金具を示す図であって、（ａ）は正面図、（ｂ）は図４（ａ）のＣ−Ｃ矢視図である。
【図５】図４のＤ−Ｄ矢視図である。
【図６】図４のＥ−Ｅ矢視図である。
【図７】第二金具を示す図であって、（ａ）は正面図、（ｂ）は図７（ａ）のＦ−Ｆ矢視図である。
【図８】図７のＨ−Ｈ矢視図である。
【図９】図７のＧ−Ｇ矢視図である。
【図１０】第一及び第二金具において第一及び第二波形部を示す図であって、（ａ）は各山部を各谷部内に嵌込む前の一部拡大図、（ｂ）は各山部を各谷部内に嵌込んだ一部拡大図である。
【図１１】折板屋根（設置側体）を示す図であって、（ａ）は斜視図、（ｂ）は一部拡大正面図である。
【図１２】取付金具を折板屋根（設置側体）に取付ける図であって、（ａ）は第一及び第二金具を離間した正面図、（ｂ）は第一及び第二金具を当接した正面図である。
【図１３】取付金具を折板屋根（設置側体）に取付ける図であって、締結具で第一及び第二金具を締結した正面図である。
【図１４】図１２のＩ−Ｉ矢視図である。
【図１５】取付金具を使用して、太陽電池パネル（設置対象体）を折板屋根（設置側体）に取付け固定する正面図である。
【図１６】図１５のＪ−Ｊ矢視図である。
【図１７】図１５の一部拡大図である。
【図１８】取付金具を使用して、安全支柱（設置対象体）を折板屋根（設置側体）に取付け固定する図であって、（ａ）は正面図、（ｂ）は図１８（ａ）のＫ−Ｋ矢視図である。
【図１９】図１８（ａ）の一部拡大正面図である。
【図２０】第一及び第二挟持部の有する第一及び第二押え波形面を示す図であって、（ａ）は一部拡大正面図、（ｂ）はハゼ部を挟持した一部拡大正面図である。
【考案を実施するための形態】
【００１８】
本考案に係る取付金具について、図１乃至図２０を参照して説明する。
【００１９】
図１５乃至図２０において、取付金具（Ｘ）は、設置対象体（Ｙ）と折板屋根等の設置側体（Ｚ）間に配置される。取付金具（Ｘ）は、設置対象体（Ｙ）を設置側体（Ｚ）に取付け固定する。
【００２０】
取付金具（Ｘ）は、図１乃至図１０に示すように、第一金具（１）、第二金具（２１）及び締結具（３５）を備える。
第一及び第二金具（１），（２１）は、設置側体（Ｚ）のハゼ部（Ｚ１）の両側に配置される。第一及び第二金具（１），（２１）は、ハゼ部（Ｚ１）を挟持する挟方向（Ａ）からハゼ部（Ｚ１）を挟持する（図１３参照）。
【００２１】
＜第一金具（１）＞
第一金具（１）は、ハゼ部（Ｚ１）の一方側に配置される（図１２及び図１３参照）。
第一金具具（１）は、図１乃至図６に示すように、第一挟持部（２）、第一締結部（３）、第一波形部（４）、第一フランジ部（５）及び第一取付具（１１）を備える。
第一金具（１）は、挟方向（Ａ）と直交する前後方向（Ｂ）に金具長（Ｌ）を有する。第一金具（１）は、例えばアルミニウム合金等の金属で形成される。
【００２２】
第一挟持部（２）は、ハゼ部（Ｚ１）の一方側に配置される（図１２及び図１３参照）。
第一挟持部（２）は、挟方向（Ａ）及び前後方向（Ｂ）と直交する上下方向（Ｃ）において、第一金具（１）の下端（２ｂ）側を構成する。
第一挟持部（２）は、挟方向（Ａ）に湾曲して突出される。第一挟持部（２）は、前後方向（Ｂ）に金具長Ｌを有して、第一金具（１）の前後端（１ｍ），（１ｕ）間に形成される。
第一挟持部（２）は、押え爪（６）を有する。押え爪（６）は、上下方向（Ｃ）において、第一挟持部（２）の下端（２ｂ）側に形成され、押え平面（６Ａ）及び設置平面（６Ｂ）を有する。
【００２３】
押え平面（６Ａ）は、押え爪（６）の挟方向（Ａ）右端（６ｓ）に形成され、挟方向（Ａ）と直交して上方に延出する。押え平面（６Ａ）は、前後方向（Ｂ）に金具長（Ｌ）を有して、第一金具（１）の前後端（１ｍ），（１ｕ）間に形成される。
【００２４】
設置平面（６Ｂ）は、押え爪（６）の上下方向（Ｃ）下端（６ｂ）に形成され、押え平面（６Ａ）と直交［上下方向（Ｃ）と直交］して、挟方向（Ａ）に延出する。設置平面（６Ｂ）は、前後方向（Ｂ）に金具長（Ｌ）を有して、第一金具（１）の前後端（１ｍ），（１ｕ）間に形成される。
【００２５】
第一締結部（３）は、上下方向（Ｃ）において、第一挟持部（２）の上端（２ａ）から上方に延出する。第一締結部（３）は、前後方向（Ｂ）に金具長（L）を有して、第一金具（１）の前後端（１ｍ），（１ｕ）間に形成される。
第一締結部（３）は、複数の第一締結穴（７），（７）及び隙間形成平面（８）を有する。
【００２６】
各第一締結穴（７），（７）は、前後方向（Ｂ）において、第一金具（１）の前後端（１ｍ），（１ｕ）から間隔（δ１）を空けて配置される。各第一締結穴（７），（７）は、前後方向（Ｂ）の相互間に間隔（δ２）を空けて配置される。
各第一締結穴（７），（７）は、上下方向（Ｃ）において、第一締結部（３）の上下端（３ａ），（３ｂ）間の中央に配置される。各第一締結穴（７），（７）は、第一締結部（３）を挟方向（Ａ）に貫通する。
【００２７】
隙間形成平面（８）は、第一締結部（３）の挟方向（Ａ）右端（３ｓ）に配置される。隙間形成平面（８）は、上下方向（Ｃ）において、第一締結部（３）の上下端（３ａ），（３ｂ）間に形成される。
隙間形成平面（８）は、第一締結部（３）の上端（３ａ）から第一挟持部（２）の突出側（湾曲側）に角度（θ）で傾斜しつつ第一締結部（３）の下端（３ｂ）まで延出する。隙間形成平面（８）は、前後方向（Ｂ）に金具長（Ｌ）を有して、第一金具（１）の前後端（１ｍ），（１ｕ）間に形成される。また、隙間形成平面（８）には、挟方向（Ａ）から各第一締結穴（７），（７）が開口する。
【００２８】
第一波形部（４）は、上下方向（Ｃ）において、第一締結部（３）の上端（３ａ）から上方に延出する。第一波形部（４）は、前後方向（Ｂ）に金具長（Ｌ）を有して、第一金具（１）の前後端（１ｍ），（１ｕ）間に形成される。
第一波形部（４）は、第一波形面（４Ａ）を有する。第一波形面（４Ａ）は第一波形部（４）の挟方向（Ａ）右端（４s）に形成される。
第一波形面（４Ａ）は、上下方向（Ｃ）において、第一波形部（４）の上端（４ａ）及び下端（４ｂ）間に形成され、押え平面（６Ａ）に平行する。第一波形面（４Ａ）は、前後方向（Ｂ）に金具長（Ｌ）を有して、第一金具（１）の前後端（１ｍ），（１ｕ）間に形成される。
第一波形面（４Ａ）は、上下方向（Ｃ）に複数の山部（９Ａ），（９Ａ），…及び複数の谷部（８Ｂ），（８Ｂ），…を連続して構成される。
【００２９】
各山部（８Ａ），（８Ａ），…及び各谷部（８Ｂ），（８Ｂ），…は、例えば同一三角形状（三角山部又は三角谷部）に形成され、上下方向（Ｃ）において、第一波形部（４）の上下端（４ａ），（４ｂ）間に形成される。各山部（９Ａ），（９Ａ），…及び各谷部（９Ｂ），（９Ｂ），…は、上下方向（Ｃ）において、交互に形成され、各山部（９Ａ），（９Ａ），…は挟方向（Ａ）に突出する。各谷部（９Ｂ），（９Ｂ），…は、挟方向（Ａ）に開口する。
各山部（９Ａ），（９Ａ），…及び各谷部（９Ｂ），（９Ｂ），…は、前後方向（Ｂ）に金具長（Ｌ）を有して、第一金具（１）の前後端（１ｍ），（１ｕ）間に形成される。各山部（９Ａ），（９Ａ），…［又は各谷部（９Ｂ），（９Ｂ），…］は、各山部間（又は各谷部間）の波形ピッチ（Ｐ）を空けて形成される。
【００３０】
第一フランジ部（５）は、上下方向（Ｃ）において、第一波形部（４）の上端（４ａ）側に連続して形成される。
第一フランジ部（５）は、第一波形面（４Ａ）と直交［上下方向（Ｃ）と直交］して、第一波形面（４Ａ）から離間しつつ挟方向（Ａ）、即ち第一挟持部（２）の突出側（湾曲側）に延出する。第一フランジ部（５）は、前後方向（Ｂ）に金具長（Ｌ）を有して、第一金具（１）の前後端（１ｍ），（１ｕ）間に形成される。
第一フランジ部（５）は、第一取付表平面（５Ａ）及び第一取付穴（１０）を有する。
【００３１】
第一取付表平面（５Ａ）は、第一波形部（４）の上端（４ａ）を含み、第一波形面（４Ａ）と直交［上下方向（Ｃ）と直交］して、第一挟持部（２）の突出側［湾曲側／挟方向（Ａ）］に延出する。第一取付表平面（５Ａ）は、前後方向（Ｂ）に金具長（Ｌ）を有して、第一金具（１）の前後端（１ｍ），（１ｕ）間に形成される。
【００３２】
第一取付穴（１０）は、前後方向（Ｂ）において、各第一締結穴（７），（７）間の中央に配置される。第一取付穴（１０）は、第一フランジ部（５）を上下方向（Ｃ）に貫通する。
【００３３】
第一取付具（１１）は、第一取付ボルト（１２）及び第一取付ナット（１３）を備える。第一取付ボルト（１２）は、六角頭部（１２Ａ）及びネジ軸部（１２Ｂ）で構成される。第一取付ボルト（１２）は、ネジ軸部（１２Ｂ）を上下方向（Ｃ）から第一取付穴（１０）に挿通する。第一取付ボルト（１２）は、ワッシャ（１４）を通して第一取付穴（１０）に挿通される。
第一取付ナット（１３）は、第一取付ボルト（１２）の六角頭部（１２Ａ）の間に第一フランジ部（５）を配置して、ネジ軸部（１２Ｂ）に螺着される。
【００３４】
＜第二金具（２１）＞
第二金具（２１）は、ハゼ部（Ｚ１）の他方側に配置される（図１２及び図１３参照）。
第二金具（２１）は、図１乃至３、及び図７乃至図９に示すように、第二挟持部（２２）、第二締結部（２３）、第二波形部（２４）、第二フランジ部（２５）及び第二取付具（３１）を備える。
第二金具（２１）は、前後方向（Ｂ）に、第一金具（１）と同一の金具長（Ｌ）を有する。
第二金具（２１）は、例えばアルミニウム合金等の金属で形成される。
第二金具具（２１）は、第二波形部（２４）を除く、第二挟持部（２２）、第二締結部（２３）、第二フランジ部（２５）及び第二取付具（３１）を第一金具（１）の第一挟持部（２）、第一締結部（３）及び第一取付具（１１）と同一形状、及び同一構成にする。
【００３５】
第二挟持部（２２）は、ハゼ部（Ｚ１）の他方側に配置される（図１２及び図１３参照）。
第二挟持部（２２）は、上下方向（Ｃ）において、第二金具（２２）の下端（２２ｂ）側を構成する。
第二挟持部（２２）は、挟方向（Ａ）に湾曲して突出される。第二挟持部（２２）は、前後方向（Ｂ）に金具長（Ｌ）を有して、第二金具（２２）の前後端（２２ｍ），（２２ｕ）間に形成される。
第二挟持部（２２）は、押え爪（２６）を有する。押え爪（２６）は、上下方向（Ｃ）において、第二挟持部（２１）の下端（２２ｂ）側に形成され、押え平面（２６Ａ）及び設置平面（２６Ｂ）を有する。
【００３６】
押え平面（２６Ａ）は、押え爪（２６）の挟方向（Ａ）左端（２６ｔ）に形成され、挟方向（Ａ）と直交して上方に延出する。押え平面（２６Ａ）は、前後方向（Ｂ）に金具長（Ｌ）を有して、第二金具（２１）の前後端（２１ｍ），（２１ｕ）間に形成される。
【００３７】
設置平面（２６Ｂ）は、押え爪（２６）の上下方向（Ｃ）下端（２６ｂ）に形成され、押え平面（２６Ａ）と直交［上下方向（Ｃ）と直交］して、挟方向（Ａ）に延出する。設置平面（２６Ｂ）は、前後方向（Ｂ）に金具長（Ｌ）を有して、第二金具（２１）の前後端（２１ｍ），（２１ｕ）間に形成される。
【００３８】
第二締結部（２３）は、上下方向（Ｃ）において、第二挟持部（２２）の上端（２２ａ）から上方に延出する。第二締結部（２３）は、前後方向（Ｂ）に金具長（Ｌ）を有して、第二金具（２１）の前後端（２１ｍ），（２１ｕ）間に形成される。
第二締結部（２３）は、複数の第二締結穴（２７），（２７）及び隙間形成平面（２８）を有する。
【００３９】
各第二締結穴（２７），（２７）は、前後方向（Ｂ）において、第二金具（２１）の前後端（２１ｍ），（２１ｕ）から間隔（δ１）を空けて配置される。各第二締結穴（２７），（２７）は、前後方向（Ｂ）において、相互間に間隔（δ２）を空けて配置される。なお、各第二締結穴（２７），（２７）の間隔（δ１），（δ２）は、第一金具（１）と同一間隔である。
各第二締結穴（２７），（２７）は、上下方向（Ｃ）において、第二締結部（２３）の上下端（２３ａ），（２３ｂ）間の中央に配置される。各第二締結穴（２７），（２７）は、第二締結部（２３）を挟方向（Ａ）に貫通する。
【００４０】
隙間形成平面（２８）は、第二締結部（２３）の挟方向（Ａ）左端（２３t）に配置される。隙間形成平面（２８）は、上下方向（Ｃ）において、第二締結部（２３）の上下端（２３ａ），（２３ｂ）間に形成される。
隙間形成平面（２８）は、第二締結部（２３）の上端（２３ａ）から第二挟持部（２２）の突出側（湾曲側）に角度（θ）で傾斜しつつ第二締結部（２３）の下端（２３ｂ）まで延出する。隙間形成平面（２８）は、前後方向（Ｂ）に金具長（Ｌ）を有して、第二金具（２１）の前後端（２１ｍ），（２１ｕ）間に形成される。また、隙間形成平面（２８）には、各第二締結穴（２７），（２７）が開口する。
【００４１】
第二波形部（２４）は、上下方向（Ｃ）において、第二締結部（２３）の上端（２３ａ）から上方に延出する。第二波形部（２４）は、前後方向（Ｂ）に金具長（Ｌ）を有して、第二金具（２１）の前後端（２１ｍ），（２１ｕ）間に形成される。
第二波形部（２４）は、第二波形面（２４Ａ）を有する。第二波形面（２４Ａ）は第二波形部（２４）の挟方向（Ａ）左端（２４ｔ）に形成される。
第二波形面（２４Ａ）は、上下方向（Ｃ）において、第二波形部（２４）の上端（２４ａ）及び下端（２４ｂ）間に形成され、押え面（２６Ａ）に平行する。第二波形面（２４Ａ）は、前後方向（Ｂ）に金具長（Ｌ）を有して、第二金具（２１）の前後端（２１ｍ），（２１ｕ）間に形成される。
第二波形面（２４Ａ）は、上下方向（Ｃ）に複数の山部（２９Ａ），（２９Ａ），…及び複数の谷部（２９Ｂ），（２９Ｂ），…を連続して構成される。
【００４２】
各山部（２９Ａ），（２９Ａ），…及び各谷部（２９Ｂ），（２９Ｂ），…は、例えば、第一波形面（４Ａ）の山部（９Ａ）及び谷部（９Ｂ）と同一三角形に形成され、上下方向（Ｃ）において、第二波形部（２４）の上下端（２４ａ），（２４ｂ）間に形成される。各山部（２９Ａ），（２９Ａ），…及び各谷部（２９Ｂ），（２９Ｂ），…は、上下方向（Ｃ）において、交互に形成され、各山部（２９Ａ），（２９Ａ），…は挟方向（Ａ）に突出する。各谷部（２９Ｂ），（２９Ｂ），…は、挟方向（Ａ）に開口する。
各山部（２９Ａ），（２９Ａ），…及び各谷部（２９Ｂ），（２９Ｂ），…は、前後方向（Ｂ）に金具長（Ｌ）を有して、第二金具（２１）の前後端（２１ｍ），（２１ｕ）間に形成される。各山部（２９Ａ），（２９Ａ），…［又は各谷部（２９Ｂ），（２９Ｂ），…］は、各山部間（又は各谷部間）の波形ピッチ（Ｐ）を空けて形成される。なお、第二波形面（２４Ａ）の波形ピッチ（Ｐ）は、第一波形面（４Ａ）と同一ピッチである。
【００４３】
第一波形部（４）の各山部（９Ａ），（９Ａ），…、各谷部（９Ｂ），（９Ｂ），…、及び第二波形部（２４）の各谷部（２９Ａ），（２９Ａ），…、各谷部（２９Ｂ），（２９Ｂ），…は、上下方向（Ｃ）において、各波形ピッチ（Ｐ），（Ｐ）相互を１／２ピッチ（１/２Ｐ）ずらして形成される。
【００４４】
第二フランジ部（２５）は、上下方向（Ｃ）において、第二波形部（２４）の上端（２４ａ）側に連続して形成される。
第二フランジ部（２５）は、第二波形面（２４Ａ）と直交［上下方向（Ｃ）と直交］して、第二挟持部（２２）から離間しつつ挟方向（Ａ）、即ち第二挟持部（２２）の突出側（湾曲側）に延出する。第二フランジ部（２５）は、前後方向（Ｂ）に金具長（Ｌ）を有して、第二金具（２１）の前後端（２１ｍ），（２１ｕ）間に形成される。
第二フランジ部（２５）は、第二取付表平面（２５Ａ）及び第二取付穴（３０）を有する。
【００４５】
第二取付表平面（２５Ａ）は、第二波形部（２４）の上端（２４ａ）を含み、第二波形面（２４Ａ）と直交［上下方向（Ｃ）と直交］して、第二挟持部（２２）の突出側［湾曲側／挟方向（Ａ）］に延出する。第二取付表平面（２５Ａ）は、前後方向（Ｌ）に金具長（Ｌ）を有して、第二金具（２１）の前後端（２１ｍ），（２１ｕ）間に形成される。
【００４６】
第二取付穴（３０）は、前後方向（Ｂ）において、各第二締結穴（２７），（２７）間の中央に配置される。第二取付穴（３０）は、第二フランジ部（２５）を上下方向（Ｃ）に貫通する。
【００４７】
第二取付具（３１）は、第二取付ボルト（３２）及び第二取付ナット（３３）を備える。第二取付ボルト（３２）は、六角頭部（３２Ａ）及びネジ軸部（３２Ｂ）で構成される。第二取付ボルト（３２）は、ネジ軸部（３２Ｂ）を上下方向（Ｃ）から第二取付穴（３０）に挿通する。第二取付ボルト（３２）は、ワッシャ（３４）を介在して第二取付穴（３０）を挿通される。第二取付ナット（３３）は、上下方向（Ｃ）において、第二取付ボルト（３２）の六角頭（３２Ａ）の間に第二フランジ部（２５）を配置して、ネジ軸部３２Ｂに螺着される。
【００４８】
＜締結具（３５）＞
締結具（３５）は、図１及び図２に示すように、複数の締結ボルト（３６），（３６）及び複数の締結ナット（３７），（３７）を備える。
【００４９】
各締結ボルト（３６），（３６）は、六角頭部（３６Ａ）及びネジ軸部（３６Ｂ）で構成される。
各締結ナット（３７），（３７）は、各締結ボルト（３６），（３６）のネジ軸部（３６Ｂ）に螺着される。
【００５０】
図１、図２及び図７において、取付金具（Ｘ）は、第一及び第二金具（１），（２１）を締結具（３５）で連結する。
【００５１】
第一及び第二金具（１），（２１）において、第一及び第二挟持部（２），（２２）は、各押え爪（６），（２６）の押え平面（６Ａ），（２６Ａ）を挟方向（Ａ）から当接して配置される。第一及び第二締結部（３），（２３）は、隙間形成平面（８），（２８）を挟方向（Ａ）から対峙して配置する。第一及び第二波形部（４），（２４）は、各山部（９Ａ）を各谷部（２９Ｂ）内に嵌込み、各山部（２９Ａ）を各谷部（９Ｂ）内に嵌込んで連接する。第一及び第二波形部（４），（２４）において、最上端の山部（２９Ａ）は最上端の谷部（９Ｂ）内に嵌込んで、順次、各山部（９Ａ），（２９Ａ）を各谷部（９Ｂ），（２９Ｂ）内に嵌込む（図１、図２及び図７参照）。
これにより、第一及び第二フランジ部（５），（２５）は、第一及び第二取付表平面（５Ａ），（１５Ａ）を各波形面（４Ａ），（２４Ａ）［上下方向（Ｃ）］と直交する同一平面に配置できる。また、第一及び第二挟持部（２），（２２）は、押え平面（６Ａ），（２６Ａ）を挟方向（Ａ）から対峙して当接できる。
【００５２】
また、第一及び第二締結部（３），（２３）は、第一及び第二隙間形成平面（８），（２８）の間に締結隙間（δｘ）を形成する。連結隙間（δｘ）は、上下方向（Ｃ）において、第一及び第二締結部（３），（２３）の上端（３ａ），（２３ａ）から下端（３ｂ），（２３ｂ）に向けて挟方向（Ａ）に末広がりの隙間となる。締結隙間（δｘ）は、前後方向（Ｂ）に延出して、第一及び第二金具（１），（２１）の前後端（１ａ），（２１ａ），（１ｂ），（２１ｂ）に開口する。各第一締結穴（７），（７）及び各第二締結穴（２７），（２７）は、挟方向（Ａ）から締結隙間（δｘ）に開口する。
【００５３】
更に、第一及び第二波形部（４），（２４）において、各山部（９Ａ），（２９Ａ）を各谷部（９Ｂ），（２９Ｂ）内に嵌込むので、第一及び第二金具（１），（２１）は上下方向（Ｃ）に相対的にずれない。
【００５４】
締結具（３５）において、各締結ボルト（３６），（３６）は、図１及び図２に示すように、ネジ軸部（３６Ｂ）を挟方向（Ａ）から第一及び第二締結穴（７），（１７）、及び締結隙間（δｘ）に挿通して、第一又は第二金具（１），（２１）から突出させる。
各締結ナット（３７），（３７）は、各締結ボルト（３６），（３６）の六角頭部（３６Ａ）間に各締結部（３），（２３）及び締結隙間（δｘ）を配置して、ネジ軸部（３６Ｂ）に螺着する。なお、各締結ボルト（３６及び各締結ナット（３７）は、第一及び第二取付ボルト（１２），（３２）及び第一及び第二取付ナット（１３），（３３）と干渉（接触）しない。
これにより、取付金具（Ｘ）において、第一及び第二金具（１），（２１）は、各締結ボルト（３６），（３６）及び各締結ナット（３７），（３７）で連結される。
【００５５】
図１１乃至図１４において、取付金具（Ｘ）は、設置対象体（Ｙ）を設置側体（Ｚ）に取付け固定するため、設置側体（Ｚ）に取付けられる。
設置側体（Ｚ）は、例えば折板屋根（以下、「折板屋根（Ｚ）」という）で構成される（図１１参照）。折板屋根（Ｚ）は、図１１に示すように、幅方向（Ｄ）に複数の折板山（Ｚ２），（Ｚ２），…及び折板谷（Ｚ３），（Ｚ３）…を交互に連続して構成される。各折板山（Ｚ２），（Ｚ２），…及び各折板谷（Ｚ３），（Ｚ３），…は、折板屋根（Z）の長手方向（Ｅ）に延在する。
【００５６】
折板屋根（Ｚ）は、各折板山（Ｚ２），（Ｚ２），…の上面にハゼ部（Ｚ１）を突設（形成）してなる。各ハゼ部（Ｚ１），（Ｚ１），…は、ハゼ首（Ｚ１ａ）及びハゼ頭（Ｚ１ｂ）を有する。ハゼ首（Ｚ１ａ）は、上下方向（Ｃ）において、折板山（Ｚ２）の上面から上方に突出する。ハゼ頭（Ｚ１ｂ）はハゼ首（Ｚ１ａ）の上端に形成され、ハゼ首（Ｚ１ａ）から幅方向（Ｄ）の両側に拡大する。
【００５７】
取付金具（Ｘ）は、図１３（ａ）に示すように、各締結ボルト（３６），（３６）及び各締結ナット（３７），（３７）を回動して、各締結ボルト（３６），（３６）の六角頭部（３６Ａ）及び各締結ナット（３７），（３７）を挟方向（Ａ）に離間する。
続いて、第一及び第二金具（１），（２１）を、各締結ボルト（３６），（３６）のネジ軸部（３６Ｂ）に沿って挟方向（Ａ）に離間する。
これにより、第一及び第二金具（１），（２１）は、挟方向（Ａ）において、第一及び第二挟持部（２），（２２）間の間隔をハゼ部（Ｚ１）のハゼ頭（Ｚ１ｂ）に対応して調整できる。
【００５８】
続いて、第一及び第二金具（１），（２１）は、図１２（ａ）に示すように、各押え爪（６），（２６）の設置平面（６Ｂ），（２６Ｂ）を折板山（Ｚ２）上に当接し、第一及び第二挟持部（２），（２２）間にハゼ部（Ｚ１）を配置する。
これにより、第一挟持部（２）は、挟方向（Ａ）からハゼ部（Ｚ１）の一方側に配置され、第二挟持部（２２）は挟方向（Ａ）からハゼ部（Ｚ１）の他方側に配置される。
第一及び第二挟持部（２），（２２）は、ハゼ部（Ｚ１）を間に配置して、挟方向（Ａ）から各押え平面（６Ａ），（２６Ａ）を対峙する。このとき、各押え平面（６Ａ），（２６Ａ）は、図１２（ａ）に示すように、ハゼ部（Ｚ１）の両側からハゼ首（Ｚ１ｂ）に対峙される。第一及び第二金具（１），（２１）は、図１４に示すように、折板屋根（Ｚ）の長手方向（Ｅ）において、ハゼ部（Z）のハゼ首（Ｚ１ａ）に沿って配置される。
【００５９】
続いて、第一金具（１）又は／及び第二金具（２１）を、図１２（ｂ）に示すように、各締結ボルト（３６），（３６）のネジ軸部（３６Ｂ）に沿って挟方向（Ａ）に接近する。
これより、第一及び第二波形部（４），（２４）は、図１２（ｂ）に示すように、各山部（９Ａ），（２９Ａ）を各谷部（９Ｂ），（２９Ｂ）内に嵌込む。このとき、第二波形面（２４Ａ）の最上端の山部（２９Ａ）は、図１０（ｂ）に示すように、第一波形面（４Ａ）の最上端の谷部（９Ｂ）内に嵌込み、更に、順次、各波形面（４Ａ），（２４Ａ）の各山部（９Ａ），（２９Ａ）を各谷部（９Ｂ），（２９Ｂ）内に嵌込んで、第一及び第二波形部（４），（２４）を連接する。
第一及び第二締結（３），（２３）は、挟方向（Ａ）から各隙間形成平面（８），（２８）を対峙して、挟方向（A）の各隙間形成平面（８），（２８）間に締結隙間（δｘ）を形成する。
第一及び第二挟持部（２），（２２）において、各押え爪（６），（２６）は、図１２（ｂ）に示すように、各押え平面（６Ａ），（２６Ａ）をハゼ部（Ｚ１）のハゼ首（Ｚ１ａ）に当接して、ハゼ部（Ｚ１）を挟持する。また、第一及び第二挟持部（２），（２２）は、ハゼ部（Ｚ１）のハゼ頭（Ｚ１ｂ）を収納する収納空間（Ｋ）を形成する。収納空間（Ｋ）は、前後方向（Ｂ）に延出して、第一及び第二金具（１），（２１）の前後端（１ａ），（２１ａ），（１ｂ），（２１ｂ）に開口する。ハゼ部（Ｚ1）のハゼ頭（Z１ｂ）は、上下方向（Ｃ）において、各押え爪（６），（２６）から収納空間（Ｋ）に突出される。
【００６０】
続いて、図１３において、各締結ボルト（３６），（３６）又は各締結ナット（３７），（３７）を相互に近接するように回動する。各締結ボルト（３６），（３６）の六角頭部（３６Ａ）は、図１１に示すように、挟方向（Ａ）から第二締結部（２３）に当接され、各締結ナット（３７），（３７）は挟方向（Ａ）から第一締結部（３）に当接される。
第一及び第二金具（１），（２１）は、各締結ボルト（３６），（３６）及び各締結ナット（３７），（３７）によって締結され（締付けられ）、第一及び第二締結部（３），（２３）の上端（３ａ），（２３ａ）を支点として第一及び第二締結部（３），（２３）とともにハゼ首（Ｚ１ａ）側に変位（弾性変形）される。
これにより、第一及び第二挟持部（２），（２２）において、各押え平面（６A），（２６A）は、締結（締付け）に伴って、挟方向（Ａ）からハゼ部（Ｚ１）のハゼ首（Ｚ１ａ）に圧接され、ハゼ部（Ｚ１）を挟持する。
このとき、第一及び第二締結部（３），（２３）は、挟方向（Ａ）において、各隙間形成平面（８），（２８）間に締結隙間（δｘ）を形成するので、各締結ボルト（３６），（３６）及び各締結ナット（３７），（３７）で第一及び第二金具（１），（２１）を締結（締付け）ても、第一及び第二挟持部（２），（２２）をハゼ部（Ｚ１）のハゼ首（Ｚ１ａ）に圧接できる。
また、第一及び第二波形部（４），（２４）において、各山部（９Ａ），（２９Ａ）を各谷部（９Ｂ），（２９Ｂ）内に嵌込むので、第一及び第二金具（１），（２１）は上下方向（Ｃ）にずれない。更に、第一及び第二フランジ部（５），（２５）において、第一及び第二取付表平面（５Ａ），（１５Ａ）は、第一及び第二波形面（４Ａ），（２４Ａ）と直交する同一平面に配置される。
【００６１】
このようにして、取付金具（Ｘ）は、第一及び第二挟持部（２），（２２）でハゼ部（Ｚ１）のハゼ首（Ｚ１ａ）を圧接しつつ挟持することで、折板屋根（Ｚ）の折板山（Ｚ２）上に取付けられる。
また、取付金具（Ｘ）は、第一及び第二挟持部（２），（２２）でハゼ首（Ｚ１ａ）を圧接しつつ挟持するので、折板屋根（Z）の長手方向（Ｅ）にずれない。更に、ハゼ部（Ｚ）のハゼ首（Ｚ１ａ）を第一及び第二挟持部（２），（２２）で挟持するので、ハゼ頭（Ｚ１ｂ）は、上下方向（Ｃ）において、第一及び第二挟持部（２），（２２）の間から抜出ない。
【００６２】
次に、取付金具（Ｘ）を使用して、設置対象体（Ｙ）を設置側体（Ｚ）に取付け固定することについて、図１５乃至図１９を参照して説明する。
【００６３】
図１５乃至図１７において、設置対象体（Ｙ）は、複数の太陽電池パネル（Ｙ１），（Ｙ１）で構成される。
各太陽電池パネル（Ｙ１），（Ｙ１）は、折板屋根（Ｚ）上に配置され、折板屋根（Ｚ）の長手方向（Ｅ）に並列される。
取付金具（Ｘ）は、各太陽電池パネル（Ｙ１），（Ｙ１）と折板屋根（Ｚ）間に複数配置され、各太陽電池パネル（Ｙ１），（Ｙ１）を折板屋根（Ｚ）に取付け固定する。
複数の取付金具（Ｘ），（Ｘ），…は、図１５乃至図１７に示すように、折板屋根（Ｚ）の幅方向（Ｄ）及び長手方向（Ｅ）に間隔を空けて配置される。
各取付金具（Ｘ），（Ｘ），…は、図１２乃至図１４で説明したと同様に、第一及び第二挟持部（１），（２１）で各折板山（Ｚ２），（Ｚ２）のハゼ部（Ｚ１）を挟持して、各折板山（Ｚ２），（Ｚ２）に取付けられる。
【００６４】
図１５乃至図１７において、各取付金具（Ｘ），（Ｘ），…及び各太陽電池パネル（Ｙ１），（Ｙ１）は、例えば、複数のロック板（Ｒ１），（Ｒ１），…で連結される。各ロック板（Ｒ１），（Ｒ１），…は、ボルト／ナット（５１）で各太陽電池パネル（Ｙ１），（Ｙ１）に取付けられる。
【００６５】
各取付金具（Ｘ），（Ｘ），…は、図１７に示すように、各ロック板（Ｒ１），（Ｒ１），…を、例えば第一取付表平面（５Ａ）上に配置する。続いて、第一取付ボルト（１２）のネジ軸部（１２Ｂ）は、ワッシャ（１４）を介在してロック板（Ｒ１）の取付穴（Ｒ１ａ）及び第一取付穴（１０）に挿通される。
続いて、第一取付ナット（１３）は、第一取付ボルト（１２）の六角頭部（１２Ａ）の間にロック板（Ｒ１）及び第一フランジ部（５）を配置して、ネジ軸部（１２Ｂ）に螺着される。
第一取付ボルト（１２）又は第一取付ナット（１３）を回動して、ロック板（Ｒ１）及び第二フランジ部（５）を締付ける。
これにより、各太陽電池パネル（Ｙ１），（Ｙ１）は、第一取付具（１１）で各取付金具（Ｘ），（Ｘ），…に取付られる。
また、各取付金具（Ｘ），（Ｘ），…は、第一フランジ部（５）に各太陽電池パネル（Ｙ１），（Ｙ１）を取付ける。
【００６６】
このようにして、各取付金具（Ｘ），（Ｘ），…は、各太陽電池パネル（Ｙ１），（Ｙ１）を折板屋根（Ｚ）上に取付け固定する。
【００６７】
図１８及び図１９において、設定対象物（Ｙ）は、複数の安全支柱（Ｙ２），（Ｙ２），…で構成される。
各安全支柱（Ｙ２），（Ｙ２），…は、支持平板部（Ｙ２ａ）及び支柱部（Ｙ２ｂ）を備える。支柱部（Ｙ２ｂ）は、支持平板部（Ｙ２ａ）上に固定され、上下方向（Ｃ）に延在する。各安全支柱（Ｙ２），（Ｙ２），…は、複数の取付穴（Ｙ２ｃ），（Ｙ２ｃ）を有し、各取付穴（Ｙ２ｃ），（Ｙ２ｃ）は折板屋根（Ｚ）の幅方向（Ｄ）において、間隔を空けて支持平板部（Ｙ２ａ）に形成される。各取付穴（Ｙ２ｃ），（Ｙ２ｃ）は、支持平板部（Ｙ２ａ）を上下方向（Ｃ）に貫通する。
各安全支柱（Ｙ２），（Ｙ２），…は、例えば、折板屋根（Ｚ）の幅方向（Ｄ）に間隔を空けて配置される。
【００６８】
複数の取付金具（Ｘ），（Ｘ）…は、各安全支柱（Ｙ２），（Ｙ２）と折板屋根（Ｚ）間に配置される。各取付金具（Ｘ），（Ｘ），…は、図１２乃至図１４で説明したと同様に、第一及び第二挟持部（１），（２１）で各折山（Ｚ２），（Ｚ２）…のハゼ部（Ｚ１）を挟持して、各折板山（Ｚ２），（Ｚ２）に取付けられる。
【００６９】
各安全支柱（Ｙ２），（Ｙ２），…は、支柱平板部（Ｙ２ａ）を第一及び第二フランジ部（５），（２５）の第一及び第二取付表平面（５Ａ），（２５Ａ）上に配置して、各取付金具（Ｘ），（Ｘ），…上に支柱部（Ｙ２ｂ）を立設する。
【００７０】
続いて、各取付金具（Ｘ），（Ｘ），…において、第一取付ボルト（１２）のネジ軸部（１２Ｂ）は、図１９に示すように、ワッシャ（１４）を介在して支柱平板部（Ｙ２ａ）の一方の取付穴（Ｙ２ｃ）及び第一取付穴（１０）に挿通される。また、第二取付ボルト（４２）のネジ軸部（３２Ｂ）は、ワッシャ（３４）を介在して支柱平板部（Ｙ２ａ）の他方の取付穴（Ｙ２ｃ）に挿通される。
第一取付ナット（１３）は、第一取付ボルト（１２）の六角頭部（１２Ａ）の間に支柱平板部（Ｙ２ａ）及び第一フランジ部（５）を配置して、ネジ軸部（１２Ｂ）に螺着する。
第二取付ナット（３３）は、第二取付ボルト（３２）の六角頭部（３２Ａ）の間に支持平板部（Ｙ２ａ）及び第二フランジ部（２５）を配置して、ネジ軸部（３２Ｂ）に螺着する。
【００７１】
続いて、第一取付ボルト（１２）又は第一取付ナット（１３）を回動して、支持平板部（Ｙ２ａ）及び第一フランジ部（２５）を締付ける。また、第二取付ボルト（３２）又は第二取付ナット（３３）を回動して、支持平板部（Ｙ２ａ）及び第二フランジ部（２５）を締付ける。
これにより、各安全支柱（Ｙ２），（Ｙ２），…は、第一及び第二取付具（１１），（３１）で各取付金具（Ｘ），（Ｘ），…に取付けられる。
各取付金具（Ｘ），（Ｘ），…は、第一及び第二フランジ部（５），（２５）に各安全支柱（Ｙ２），（Ｙ２），…を取付ける。
【００７２】
このようにして、各取付金具（Ｘ），（Ｘ），…は、各安全支柱（Ｙ２），（Ｙ２），…を折板屋根（Ｚ）に取付け固定する。
【００７３】
続いて、各安全支柱（Ｙ２），（Ｙ２），…間に複数のロープ、チェーン等の線条材（Ｙ３），（Ｙ３）を架設して、各線条材（Ｙ３），（Ｙ３）を各安全支柱（Ｙ２），（Ｙ２）で支持する。
これにより、折板屋根（Ｚ）上に、複数の安全支柱（Ｙ２），（Ｙ２），…及び複数の線条材（Ｙ３），（Ｙ３）で構成される安全柵を設置できる。
【００７４】
取付金具（Ｘ）において、設置対象体（Y）は太陽電池パネル、安全支柱に限定されず、テレビアンテナ、空調室外機器等で有っても良い。
【００７５】
取付金具（Ｘ）において、設置側体（Ｚ）は折板屋根に限定されず、太陽光発電システムの建設予定地に設置されるフレーム構造体であっても良い。フレーム構造体において、設置地面に傾斜して配置される複数のトップフレームにハゼ部を突設（形成）する。取付金具は、各トップフレームのハゼ部を挟持して、１又は複数の太陽電池パネルをフレーム構造体に取付け固定する。
【００７６】
取付金具（Ｘ）では、図２０に示すように、第一及び第二挟持部（２），（２２）の各押え平面（６Ａ），（２６Ａ）を波形平面に形成して、第一及び第二挟持部（２），（２２）は第一及び第二押え波形面（以下「第一押え波形平面（６Ａ）」、「第二押え波形平面（２６Ａ）という」）を有する構成も採用できる。
【００７７】
図２０において、第一押え波形平面（６Ａ）は、第一挟持部（２）に形成され、上下方向（Ｃ）に複数の押え山部（４６Ａ），（４６Ａ），…及び複数の押え谷部（４６Ｂ），（４６Ｂ），…を連続して構成される。
【００７８】
各押え山部（４６Ａ），（４６Ａ），…及び各押え谷部（４６Ｂ），（４６Ｂ），…は、例えば同一三角形状（三角押え山部、三角押え谷部）に形成され、押え爪（６）の上下端（6ａ），（６ｂ）間に形成される。各押え山部（４６Ａ），（４６Ａ），…及び各押え谷部（４６Ｂ），（４６Ｂ），…は、上下方向（Ｃ）において、交互に形成され、各押え山部（４６Ａ），（４６Ａ），…は挟方向（Ａ）に突出する。各押え谷部（４６Ｂ），（４６Ｂ），…は、挟方向（Ａ）に開口する。
各押え山部（４６Ａ），（４６Ａ），…及び各押え谷部（４６Ｂ），（４６Ｂ），…は、図示しないが、前後方向（Ｂ）の金具長（Ｌ）を有して、第一金具（１）の前後端（１ｍ），（１ｕ）間に形成される。
各押え谷部（４６Ａ），（４６Ａ），…［又は各押え谷部（４６Ｂ），（４６Ｂ），…］は、各押え山部間（又は各押え谷部間）の波形ピッチ（Ｐ１）を空けて形成される。
【００７９】
第二押え波形面（２６Ａ）は、第二挟持（２２）に形成され、上下方向（Ｃ）に複数の押え山部（５６Ａ），（５６Ａ），…及び複数の押え谷部（５６Ｂ），（５６Ｂ），…を連続して構成される。
【００８０】
各押え山部（５６Ａ），（５６Ａ），…及び各押え谷部（５６Ｂ），（５６Ｂ），…は、例えば第一押え波形平面（６Ａ）の押え山部（４６Ａ）及び押え谷部（４６Ｂ）を同一三角形状に形成され、上下方向（Ｃ）において、第二押え波形面（２６Ａ）の上下端（２６ａ），（２６ｂ）間に形成される。各押え山部（５６Ａ），（５６Ａ），…及び各押え山部（５６Ｂ），（５６Ｂ），…は、上下方向（Ｃ）において、交互に形成され、各押え山部（５６Ａ），（５６Ａ），…は挟方向（Ａ）に突出する。各押え谷部（５６Ｂ），（５６Ｂ），…は挟方向（Ａ）に開口する。
【００８１】
各押え山部（５６Ａ），（５６Ａ），…及び各押え山部（５６Ｂ），（５６Ｂ），…は、図示しないが、前後方向（Ｂ）に金具長（Ｌ）を有して、第二金具（２１）の前後端（２１ｍ），（２１ｕ）間に形成される。各押え山部（５６Ａ），（５６Ａ），…［又は各押え谷部（５６Ｂ），（５６Ｂ），…］は、各押え山部間（又は各押え谷部間）の波形ピッチ（Ｐ１）を空けて形成される。なお、第二押え波形平面（２６Ａ）の波形ピッチ（Ｐ１）は、第一押え波形平面（６Ａ）を同一ピッチである。
【００８２】
図２０（ｂ）において、第一挟持部（２）の第一押え波形平面（６Ａ）は、図１２乃至図１４で説明したと同様に、挟方向（Ａ）からハゼ部（Ｚ１）のハゼ首（Ｚ１ａ）の一方側に配置される。第二挟持部（２６）の第二押え波形平面（２６Ａ）は、挟方向（Ａ）からハゼ部（Ａ１）のハゼ首（Ｚ１ａ）の他方側に配置される。
このとき、第一及び第二押え波形平面（６Ａ），（２６Ａ）は、挟方向（Ａ）にハゼ首（Ｚ１ａ）を配置して、各押え山部（４６Ａ），（４６Ａ），…及び各押え山部（５６Ａ），（５６Ａ），…を対峙する。例えば、最上端の押え山部（４６Ａ）は、最上端の押え山部（５６Ａ）に対峙され、順次、各押え山部（４６Ａ），（５６Ａ）同士を対峙する。
【００８３】
続いて、図１２で説明したと同様に、第一又は第二金具（１），（２１）を挟方向（Ａ）に接近して、各押え山部（４６Ａ），（４６Ａ），…及び各押え山部（５６Ａ），（５６Ａ）をハゼ首（Ｚ１ａ）に当接する。対峙した各押え山部（４６Ａ），（５６Ａ）は、挟方向（Ａ）でハゼ首（Ｚ１ａ）を挟持する。
【００８４】
続いて、図１３で説明したと同様に、締結ボルト（３６）又は締結ナット（３７）を回動して、挟方向（Ａ）から第一及び第二挟持部（２），（２２）を締結する（締付ける）。これにより、第一及び第二押え波形平面（６Ａ），（２６Ａ）において、対峙した各押え山部（４６Ａ），（５６Ａ）は、図２０（ｂ）に示すように、挟方向（Ａ）からハゼ首（Ｚ１ａ）に圧接されて、ハゼ首（Ｚ１ａ）を挟持する。
【００８５】
このように、各押え波形平面（６Ａ）、（２６Ａ）全体をハゼ首（Ｚ１ａ）に圧接するのではなく、対峙した各押え山部（４６Ａ），（５６Ａ）をハゼ首（Ｚ１ａ）に圧接する。
これにより、締結ボルト及び締結ナットの回動（締付け）による圧接力を第一及び第二挟持部の押え波形平面（６Ａ），（２６Ａ）全体に分散することなく、各押え山部（４６Ａ），（５６Ａ）に集中でき、ハゼ首（Ｚ１ａ）を間に配置して対峙する各押え山部（４６Ａ），（５６Ａ）でハゼ部（Ｚ１）確実に挟持でき、取付金具（Ｘ）はハゼ部（Ｚ１）から上下方向に抜出ない。
また、各押え山部（４６Ａ），（４６Ａ），…及び各押え山部（５６Ａ），（５６Ａ），…は、前後方向（Ｂ）に金具長（Ｌ）を有して形成されるので（図示しない）、取付金具（Ｘ）は確実に折板屋根等の設置側体（Ｚ）に固定できる。
【産業上の利用可能性】
【００８６】
本考案は、太陽電池パネル等（設置対象体）を折板屋根等（設置側体）に取付け固定するのに最適である。
【符号の説明】
【００８７】
Ｘ  取付金具
Ｙ  設置対象体
Ｚ  設置側体
１  第一金具
２  第一挟持部
３  第一締結部
４  第一波形部
４Ａ  第一波形面
５  第一フランジ部
７  第一締結穴
９Ａ  山部
９Ｂ  谷部
２１  第二金具
２２  第二挟持部
２３  第二締結部
２４  第二波形部
２４Ａ  第二波形面
２５  第二フランジ部
２７  第二締結穴
３６  締結ボルト
３７  締結ナット
【図１】
0003189157.tif 000003
【図２】
0003189157.tif 000004
【図３】
0003189157.tif 000005
【図４】
0003189157.tif 000006
【図５】
0003189157.tif 000007
【図６】
0003189157.tif 000008
【図７】
0003189157.tif 000009
【図８】
0003189157.tif 000010
【図９】
0003189157.tif 000011
【図１０】
0003189157.tif 000012
【図１１】
0003189157.tif 000013
【図１２】
0003189157.tif 000014
【図１３】
0003189157.tif 000015
【図１４】
0003189157.tif 000016
【図１５】
0003189157.tif 000017
【図１６】
0003189157.tif 000018
【図１７】
0003189157.tif 000019
【図１８】
0003189157.tif 000020
【図１９】
0003189157.tif 000021
【図２０】
0003189157.tif 000022